(57)【特許請求の範囲】
【請求項１】
脚台上に設けられた座部と座部の後端側に設けられた背部を備え、一対の背部を背中合わせに設けて成るクロスシートであって、
座部は、前端側を脚台に揺動可能に連結され、後端側から開閉可能であり、
中枠とその背後の外枠を有する背部は、中枠の下端側を脚台に揺動可能に連結され、外枠の下端側が前方へ変位することにより座部の開状態に於いて背中合わせの背部どおしが干渉することなく座部側へ傾倒可能であり、倒状態に於いて高床を構成する、
クロスシート。
【請求項２】
脚台上に設けられた座部と座部の後端側に設けられた背部を備え、一対の背部を背中合わせに設けて成り、脚台の側方を塞ぐ蹴込み板部を有するクロスシートであって、
座部は、前端側を脚台に揺動可能に連結され、後端側から開閉可能であり、
蹴込み板部は、脚台の前後方向中央部から両開き可能な蹴込み板を備え、
背部は、下端側を脚台に揺動可能に連結され、閉状態の蹴込み板の開閉側端部から各々後方への付勢力を受けることで下端部を背中合わせに固定され、背中合わせの上端部に背部止め具を嵌合されることで上端部を固定され、座部の開状態に於いて座部側へ傾倒可能であり、倒状態に於いて高床を構成する、
クロスシート。
【請求項３】
脚台上に設けられた座部と座部の後端側に設けられた背部を備え、一対の背部を背中合わせに設けて成るクロスシートであって、
座部は、脚台上を前後方向に移動可能で所定位置に止め得る座枠を備え、座枠の前端側を脚台に揺動可能に連結され、後端側から開閉可能であり、
背部は、外枠と中枠と内枠を備え、中枠と内枠の各下端部の間及び中枠と外枠の各下端部の間には引張力を与えるスプリングが各々架設され、
外枠は、上端部に水平な支持パイプを備え、中枠の倒状態に於いて高床の枠体を構成し、
中枠は、上端側を支持パイプに揺動可能に連結され、下端側を脚台に揺動可能に連結され、座部の開状態に於いて座部側へ傾倒可能であり、
内枠は、上端側を支持パイプに揺動可能に連結され、下端側を座枠に揺動可能に連結されて成る、
クロスシート。
【請求項４】
脚台上に設けられた座部と座部の後端側に設けられた背部を備え、一対の背部を背中合わせに設けて成るクロスシートであって、
座部は、脚台上を前後方向に移動可能な移動体と、移動体の移動をロックするロック機構と、移動体に前端側を揺動可能に連結された座枠と、座枠を後端側から開く操作に連動して移動体のロックを解除する解除機構と、座枠を後端側から開く際に於いて座枠の所定部位と脚台の所定部位との間の距離が所定距離に達した後は該所定距離が維持されるように規制することにより座枠を開く力を移動体を後方へ付勢する力に変換する規制機構と、備え、
背部は、下端側を脚台に揺動可能に連結され、座部の開状態に於いて座部側へ傾倒可能であり、倒状態に於いて高床を構成する、
クロスシート。
【請求項５】
脚台上に設けられた座部と座部の後端側に設けられた背部を備え、一対の背部を背中合わせに設けて成り、脚台の側方を塞ぐ蹴込み板部を有するクロスシートであって、
座部は、前端側を脚台に揺動可能に連結され、後端側から開閉可能であり、
蹴込み板部は、脚台の前後方向中央部から両開き可能な蹴込み板を備え、開閉側端部には上下方向の支柱が一体に設けられ、
背部は、下端側を脚台に揺動可能に連結され、座部の開状態に於いて座部側へ傾倒可能であり、倒状態に於いて脚台に支持されるとともに先端側を前記支柱を介して床面に支持されて高床を構成する、
クロスシート。
【請求項６】
脚台上に設けられた座部と座部の後端側に設けられた背部を備え、一対の背部を背中合わせに設けて成り、脚台の側方を塞ぐ蹴込み板部を有するクロスシートであって、
座部は、前端側を脚台に揺動可能に連結され、後端側から開閉可能であり、
蹴込み板部は、脚台の前後方向中央部から両開き可能な外側蹴込み板と、外側蹴込み板の内層として設けられた内側蹴込み板と、外側蹴込み板の閉状態で外側蹴込み板と内側蹴込み板の間に介在する開閉可能な中側蹴込み板とを有し、
外側蹴込み板は、閉状態では開閉側端部の内面に設けられたパイプを脚台の前後方向中央部の側壁に固定されたクリップに嵌合されることで脚台側壁に係止され、開状態では隣接するクロスシートの外側蹴込み板の先端部と連結され、
中側蹴込み板は、外側蹴込み板の開状態に於いて開かれることで脚台の前後方向中央部を覆い、
背部は、下端側を脚台に揺動可能に連結され、座部の開状態に於いて座部側へ傾倒可能であり、倒状態に於いて高床を構成する、
クロスシート。
【請求項７】
請求項３に於いて、
前記外枠の背面には畳枠が固定され、該畳枠内に畳が嵌め込まれて成る、
クロスシート。
【請求項８】
脚台上に設けられた座部と座部の後端側に設けられた背部を備え、一対の背部を背中合わせに設けて成るクロスシートであって、
座部は、前端側を脚台に揺動可能に連結され、後端側から開閉可能であり、
背部は、外枠と中枠と内枠を備え、
外枠は、上端部に水平な支持パイプを備え、中枠の倒状態に於いて高床の枠体を構成し、
中枠は、上端側を支持パイプに揺動可能に連結され、下端側を脚台に揺動可能に連結され、座部の開状態に於いて座部側へ傾倒可能であり、
内枠は、上端側を支持パイプに揺動可能に連結され、
中枠と内枠の各下端部の間及び中枠と外枠の各下端部の間には引張力を与えるスプリングが各々架設され、
脚台上には、中枠の倒される動作に連動して中枠と内枠の各下端部の間から離脱し、中枠の起こされる動作に連動して中枠と内枠の各下端部の間に進入して所定の間隙を設定する間隙設定部材が設けられて成る、
クロスシート。
【請求項９】
脚台上に設けられた座部と座部の後端側に設けられた背部を備え、一対の背部を背中合わせに設けて成るクロスシートであって、
座部は、前端側を脚台に揺動可能に連結され、後端側から開閉可能であり、
背部は、外枠と中枠と内枠を備え、
外枠は、上端部に水平な支持パイプを備え、中枠の倒状態に於いて高床の枠体を構成し、
中枠は、上端側を支持パイプに揺動可能に連結され、下端側を脚台に揺動可能に連結され、座部の開状態に於いて座部側へ傾倒可能であり、
内枠は、上端側を支持パイプに揺動可能に連結され、
中枠と内枠の各下端部の間及び中枠と外枠の各下端部の間には引張力を与えるスプリングが各々架設され、
脚台上には、前側の縁に前側当接面を形成されるとともに後側上部寄りの縁に逃げ面を形成され且つ該逃げ面に連続する後側当接面を後側下部寄りの縁に形成された板部材が下端部を回動の軸芯として前後方向に揺動可能に設けられ、
中枠が倒されると内枠の下端部ブラケットが板部材の前側当接面を押して後方へ揺動させることにより中枠の下端部ブラケットを逃げ面に沿って逃がして中枠と内枠の各下端部ブラケット間から板部材を離脱させ、中枠が起こされると中枠の下端部ブラケットが板部材の逃げ面を押しつつ逃げ面に沿って摺動して後側当接面に到ることにより板部材を前方へ揺動させて中枠と内枠の各下端部ブラケット間に板部材を進入させる、
クロスシート。
【発明の詳細な説明】
【０００１】
【発明の属する技術分野】
本発明は、座部と背部から成る座席を背中合わせに設けたクロスシートに関する。本発明のクロスシートは、列車等の大型の客用車両に搭載される。
【０００２】
【従来の技術】
着座用の座部と背凭れ用の背部を備えた座席を背中合わせに設けたクロスシートが、列車等の大型の客用車両の座席用に提供されている。
一方で、列車等の大型の客用車両の一種として、通常の床面より高い高さに畳を敷きつめた御座敷車両が提供されている。
しかし、通常の座席と御座敷とを切り換えて使用できる車両は無い。
【０００３】
【発明が解決しようとする課題】
本発明は、通常の座席であるクロスシートと、通常の床面より高い高床の御座敷とを、切り換えて使用できるようにすることを目的とする。また、クロスシートと御座敷の切り換えに特に好適な背部や座部の構成を提供することを目的とする。また、クロスシートと御座敷の切り換えに特に好適な脚台の側方を塞ぐ構成を提供することを目的とする。更に、比較的簡易な機構を用いて、通常の座席であるクロスシートと、通常の床面より高い高床の御座敷とを、切り換えて使用できるようにすることを目的とする。
【０００４】
【課題を解決するための手段】
本発明は、脚台上に設けられた座部と座部の後端側に設けられた背部を備え一対の背部を背中合わせに設けて成るクロスシートであって、座部は前端側を脚台に揺動可能に連結されて後端側から開閉可能であり、中枠とその背後の外枠を有する背部は中枠の下端側を脚台に揺動可能に連結され外枠の下端側が前方へ変位することにより座部の開状態に於いて背中合わせの背部どおしが干渉することなく座部側へ傾倒可能であり、背部の倒状態に於いて高床を構成する、クロスシートである。高床とは、通常の床面より高い位置に設けられる床面をいう。多数のクロスシートから成る高床に畳を敷きつめることにより、御座敷を形成できる。以下の各発明中の高床も同義である。
【０００５】
本発明は、脚台上に設けられた座部と座部の後端側に設けられた背部を備え一対の背部を背中合わせに設けて成り、脚台の側方を塞ぐ蹴込み板部を有するクロスシートであって、座部は前端側を脚台に揺動可能に連結されて後端側から開閉可能であり、蹴込み板部は脚台の前後方向中央部から両開き可能な蹴込み板を備え、背部は、下端側を脚台に揺動可能に連結され、閉状態の蹴込み板の開閉側端部から各々後方への付勢力を受けることで下端部を背中合わせに固定されるとともに背中合わせの上端部に背部止め具を嵌合されることで上端部を固定され、座部の開状態に於いて背部を座部側へ傾倒可能であり、背部の倒状態に於いて高床を構成する、クロスシートである。
付勢力を受ける「後方」とは、座部と背部から成る単一の座席に着目した場合の定義である。したがって、背中合わせの一対の座席から成るクロスシートに着目した場合には「前後方向の中央へ向かう方向」と表現される。
【０００６】
本発明は、脚台上に設けられた座部と座部の後端側に設けられた背部を備え一対の背部を背中合わせに設けて成るクロスシートであって、座部は脚台上を前後方向に移動可能で所定位置に止め得る座枠を備え該座枠の前端側を脚台に揺動可能に連結されて後端側から開閉可能であり、背部は外枠と中枠と内枠を備え、中枠と内枠の各下端部の間及び中枠と外枠の各下端部の間には引張力を与えるスプリングが各々架設され、外枠は上端部に水平な支持パイプを備え、中枠の倒状態に於いて外枠が高床の枠体を構成し、中枠は上端側を支持パイプに揺動可能に連結されるとともに下端側を脚台に揺動可能に連結されて座部の開状態に於いて座部側へ傾倒可能であり、内枠は上端側を支持パイプに揺動可能に連結されるとともに下端側を座枠に揺動可能に連結されて成る、クロスシートである。
また、上記に於いて、外枠の背面には畳枠が固定されて該畳枠内に畳が嵌め込まれて成る、クロスシートである。
【０００７】
本発明は、脚台上に設けられた座部と座部の後端側に設けられた背部を備え一対の背部を背中合わせに設けて成るクロスシートであって、座部は、脚台上を前後方向に移動可能な移動体と、該移動体の移動をロックするロック機構と、該移動体に前端側を揺動可能に連結された座枠と、座枠を後端側から開く操作に連動して移動体のロックを解除する解除機構と、座枠を後端側から開く際に於いて座枠の所定部位と脚台の所定部位との間の距離が所定距離に達した後は該所定距離が維持されるように規制することにより座枠を開く力を移動体を後方へ付勢する力に変換する規制機構と備え、背部は下端側を脚台に揺動可能に連結されて座部の開状態に於いて座部側へ傾倒可能であり、背部の倒状態に於いて高床を構成する、クロスシートである。
移動体は、例えば、脚台上にロアレールを設け、該ロアレール上にアッパーレールを摺動可能に設けることで構成できる。その場合、座枠は該アッパーレールの前端に揺動可能に連結される。解除機構の一部の部材と規制機構の一部の部材は兼用してもよい。
【０００８】
本発明は、脚台上に設けられた座部と座部の後端側に設けられた背部を備え一対の背部を背中合わせに設けて成り脚台の側方を塞ぐ蹴込み板部を有するクロスシートであって、座部は前端側を脚台に揺動可能に連結されて後端側から開閉可能であり、蹴込み板部は脚台の前後方向中央部から両開き可能な蹴込み板を備えるとともに開閉側端部には上下方向の支柱が一体に設けられ、背部は下端側を脚台に揺動可能に連結されて座部の開状態に於いて座部側へ傾倒可能であり、背部の倒状態に於いて脚台に支持されるとともに背部の先端側を前記支柱を介して床面に支持されて高床を構成する、クロスシートである。
背部の先端側とは、座席として使用する場合の上端側である。
【０００９】
本発明は、脚台上に設けられた座部と座部の後端側に設けられた背部を備え一対の背部を背中合わせに設けて成り脚台の側方を塞ぐ蹴込み板部を有するクロスシートであって、座部は前端側を脚台に揺動可能に連結されて後端側から開閉可能であり、蹴込み板部は脚台の前後方向中央部から両開き可能な外側蹴込み板と該外側蹴込み板の内層として設けられた内側蹴込み板と該外側蹴込み板の閉状態で該外側蹴込み板と該内側蹴込み板の間に介在する開閉可能な中側蹴込み板とを有し、外側蹴込み板は閉状態では開閉側端部の内面に設けられたパイプを脚台の前後方向中央部の側壁に固定されたクリップに嵌合されることで脚台側壁に係止されるとともに開状態では隣接するクロスシートの外側蹴込み板の先端部と連結され、中側蹴込み板は外側蹴込み板の開状態に於いて開かれることで脚台の前後方向中央部を覆い、背部は下端側を脚台に揺動可能に連結されて座部の開状態に於いて座部側へ傾倒可能であり背部の倒状態に於いて高床を構成する、クロスシートである。外側蹴込み板は、実施の形態では側部蹴込み板に対応する。
【００１０】
本発明は、脚台上に設けられた座部と座部の後端側に設けられた背部を備え、一対の背部を背中合わせに設けて成るクロスシートであって、座部は前端側を脚台に揺動可能に連結されて後端側から開閉可能であり、背部は外枠と中枠と内枠を備え、外枠は上端部に水平な支持パイプを備え中枠の倒状態に於いて高床の枠体を構成し、中枠は上端側を支持パイプに揺動可能に連結され下端側を脚台に揺動可能に連結され座部の開状態に於いて座部側へ傾倒可能であり、内枠は上端側を支持パイプに揺動可能に連結され、中枠と内枠の各下端部の間及び中枠と外枠の各下端部の間には引張力を与えるスプリングが各々架設され、脚台上には中枠の倒される動作に連動して中枠と内枠の各下端部の間から離脱し中枠の起こされる動作に連動して中枠と内枠の各下端部の間に進入して所定の間隙を設定する間隙設定部材が設けられて成る、クロスシートである。
【００１１】
本発明は、脚台上に設けられた座部と座部の後端側に設けられた背部を備え、一対の背部を背中合わせに設けて成るクロスシートであって、座部は前端側を脚台に揺動可能に連結されて後端側から開閉可能であり、背部は外枠と中枠と内枠を備え、外枠は上端部に水平な支持パイプを備え中枠の倒状態に於いて高床の枠体を構成し、中枠は上端側を支持パイプに揺動可能に連結され下端側を脚台に揺動可能に連結され座部の開状態に於いて座部側へ傾倒可能であり、内枠は上端側を支持パイプに揺動可能に連結され、中枠と内枠の各下端部の間及び中枠と外枠の各下端部の間には引張力を与えるスプリングが各々架設され、脚台上には前側の縁に前側当接面を形成されるとともに後側上部寄りの縁に逃げ面を形成され且つ該逃げ面に連続する後側当接面を後側下部寄りの縁に形成された板部材が下端部を回動の軸芯として前後方向に揺動可能に設けられ、中枠が倒されると内枠の下端部ブラケットが板部材の前側当接面を押して後方へ揺動させることにより中枠の下端部ブラケットを逃げ面に沿って逃がして中枠と内枠の各下端部ブラケット間から板部材を離脱させ、中枠が起こされると中枠の下端部ブラケットが板部材の逃げ面を押しつつ逃げ面に沿って摺動して後側当接面に到ることにより板部材を前方へ揺動させて中枠と内枠の各下端部ブラケット間に板部材を進入させる、クロスシートである。
【００１２】
【発明の実施の形態】
以下、図面を参照して本発明の具体的な実施の形態を説明する。
〔１〕第１の構成例
図１〜図１８は第１の構成例を示す。第１の構成例は、座部10の前後スライド機構と、背部4 のリクライニング機構を備える。なお、図１は第１の構成例であるが、図１が示す各状態（折り畳み状態（ａ）・起こす途中の状態（ｂ）・起こし終えた状態（ｃ））は、第２の構成例でも同様である。
【００１３】
図１の（ａ）のように、第１（及び第２）の構成例は、通常は御座敷として使用され、必要に応じて背部4 を図示（ｃ）の如く起こすことで座席として使用される折り畳み式クロスシートである。クロスシートとは、着座用の座部10と背凭れ用の背部4 を備えた座席を背中合わせに設けたシートをいう。
【００１４】
クロスシートの状態（ｃ）から御座敷の状態（ａ）にするためには、（ｂ）に示すように、座部10を後端側から開き、側部蹴込み板13を脚台1 の前後方向中央部から両開きして各々隣接するクロスシート（図１で不図示）の側部蹴込み板と連結する。また、背中合わせの背部4 の上端部を嵌め込んで固定している背部固定金具16（図９（ａ）参照）を外す。これにより、各背部4 を各々対応する座部10側へ倒す動作が可能になる。また、倒した背部4 の先端部（起こした状態では上端部）の通路側部分を側部蹴込み板13の開閉側端部の支柱67（図１５参照）によって支持することが可能になる。なお、背部4 の先端部（起こした状態では上端部）の窓側部分は、脚台1 の窓側部分の上面にブラケット69を介して高さ調整可能に設けられた受け金68（以上、図１７参照）によって支持される。
【００１５】
図４に示すように、座部10の座枠17と該座枠17に取り付けられている座部クッション18は前後方向にスライド可能であり、スライド後、所望の位置にロック可能である。また、座枠17を前方へスライドさせると、背部4 の背部内枠22と該背部内枠22に取り付けられている背部クッション23が傾斜される。即ち、座枠17の前後方向のスライドに連動して、背部4 のリクライニング機構が動作される。
【００１６】
また、図７と図８に示すように、座枠17を後端側から上方へ開く操作に連動して、座部10のロック（前後方向のスライドのロック）が解除されるとともに（図５参照）、座部10が原位置（前方へスライドされる以前の基準位置）に自動的に復帰される。
【００１７】
また、座枠17を後端側から上方へ開くとともに、図１５と図１６に示すように側部蹴込み板13を両側へ開く操作により、両背部を下端部に於いて係止している機構が解除され、背中合わせの背部4 の上端部を固定している背部固定金具16を外す操作と相まって、背中合わせの背部4 が図９の（ｂ）と図１０の（ｂ）に示すように八の字状に開く。これにより、各背部4 を各々対応する座部10側へ倒す動作が可能になる。
以下、上述の各動作を可能にする各機構について説明する。
【００１８】
（１）スライド・スライドロック・ロック解除機構（図５）．
脚台1 の上面両サイドには、前後方向に延びるロアレール20a が設けられており、該ロアレール20a に、ロックプレート66が溶接で固定されている。該ロックプレート66には、レール20の長手方向に配列された多数のロック孔66a が形成されており、該ロック孔66a に、アッパーレール20b 側のロックレバー55の先端の爪が進入して係合することでスライドがロックされる。また、離脱することでロックが解除される。
【００１９】
ロックレバー55はロックハンドル64に一体に取り付けられており、該ロックハンドルは座部スライドレバー14の操作によって回動される。したがって、座部スライドレバー14の操作によりロックハンドル64が回動し、これに伴ってロックレバー55が回動して、上述のロック／ロック解除が行われる。かかる動作を実現するために、ロックハンドル64は、ロアレール20a 上に摺動可能に設けられたアッパーレール20b の側に回動可能に支持されている。即ち、アッパーレール20b にはブラケット57,65 が溶接で固定されており、これらのブラケット57,65 によってロックハンドル64が回動可能に支持されている。
【００２０】
スライドロック状態は、座枠17の後端側を図６（ａ）の矢印のように上方へ撥ね上げて開くことによっても解除される。即ち、座枠17と一体に構成されたブラケット65の孔（不図示）にはシャフト62の先端が遊嵌されており、その他端はブラケット61を介して脚台1 の前部に回動可能に支持されているロックバー60の周面に溶接で固定されている。このため、座枠17の後端側を図７の（ｂ）に示すように上方へ撥ね上げると、シャフト62の先端側が上昇されてロックバー60を回動させる。なお、シャフト62の先端側には、抜け止め用のストッパ63が取り付けられている。
【００２１】
また、ロックバー60が回動されると、その一端部に溶接で固定されているカム59が回動して、該カムと係合されているレバー58を図５（ｄ）の矢印の方向（時計方向）へ回動させる。上記レバー58は、前記ロックハンドル64の前端に溶接で固定されている。このため、座枠17の後端側が撥ね上げられると、シャフト62の先端側が上昇してロックバー60を回動させ、これにより、ロックハンドル64の回動を生起して、ロック解除動作を生起させるのである。
【００２２】
なお、座枠17の後端側を上述の如く撥ね上げる動作を可能とするために、図４の（ｃ）に示すように、座枠17の先端側にはリベット19で取り付けられたブラケット33が下垂されており、該ブラケット33が、アッパーレール20b に取り付けられているブラケット34により、ピン35を介して回動可能に支持されている。換言すれば、座枠17はピン35を回動の軸芯として支持されている。
【００２３】
（２）スライド復帰機構（図６〜図８）．
前方位置にスライドされてロックされている座枠17（図７（ａ））の後端部側を上方へ撥ね上げて開くと（図７（ｂ））、座枠17はピン35を回動の軸芯として上方へ揺動（回動）して、上述の如くロックが解除される。
【００２４】
このロック解除後、更に座枠17を同方向へ揺動させると、座枠17と一体のブラケット65の不図示の孔に遊嵌されているシャフト62が、該ブラケット65の孔に対して更に摺動する。即ち、ブラケット65がピン35を回動の軸芯として揺動することにより、該ブラケット65の孔に遊嵌されているシャフト62が、ロックバー60を回動の軸芯として揺動する。
【００２５】
ブラケット65の孔に対するシャフト62の摺動（孔から抜け出る方向への相対変位）は、シャフト62の先端のストッパ63がブラケット65の孔によって係止された時点で止まる（図８（ａ））。この位置は、ピン35を回動の軸芯とするブラケット65の孔の下端の揺動の軌跡と、ロックバー60を回動の軸芯とするシャフト62の先端のストッパ63の揺動の軌跡とが交叉する位置である。なお、座部10の重心位置がピン35の位置より前方となった時点から、上述の揺動のための力は座部10の自重によって与えられる。
【００２６】
この状態から更に座枠17を同方向へ揺動させると、ブラケット65の孔の存在可能位置が、ロックバー60の位置（一定位置）とシャフト62の長さ（一定長）とによって規制される結果、座枠17からアッパーレール20b に対して、ピン35を介して、後方への付勢力が加わるようになる。このため、アッパーレール20b は後方へスライドして、図８（ｂ）に示す原位置に復帰する。
かかる復帰動作は、座枠17を開く際に座枠17が前後方向の何れの位置にあった場合でも同様に奏されて、アッパーレール20b は原位置に復帰される。
【００２７】
（３）リクライニング機構（図３，図４）．
背部4 は、背部外枠2 と、背部中枠21と、背部内枠22を有し、背部内枠22に背部クッション23が取り付けられている。また、背部外枠2 の背面には畳枠3 が一体に取り付けられており、該畳枠3 に畳49が嵌め込まれている。
【００２８】
背部外枠2 の上端部には支持パイプ25が水平に設けられている。また、下端部にはスプリング53の一端が係止されており、該スプリング53の他端を背部中枠21の下端側に係止することで、該背部中枠21への引張力を与えている。また、背中合わせの背部4 の一方の畳枠3 の下端縁には塞ぎ板75が設けられており、上端縁には塞ぎ板75a が設けられている。下端縁の塞ぎ板75は、御座敷とした場合に於いて同じクロスシートで構成される畳間の間隙を塞ぐものである。また、上端縁の塞ぎ板75a は、隣接するクロスシートで構成される畳間の間隙を塞ぐものである。なお、背部4 を倒す際には、図１２に示すように、塞ぎ板75,75aを有する背部4 から倒す。
【００２９】
背部中枠21の上端部は、支持パイプ25によって回動（揺動）可能に支持されている。即ち、図３の（ｂ）に示すように、支持パイプ25にヒンジブラケット26が回動可能に取り付けられており、背部中枠21の上端部にはブラケット24が溶接固定されている。このブラケット24と上記ヒンジブラケット26とがボルトで固定されることで、上述の如く、背部中枠21の上端部は、支持パイプ25によって回動可能に支持されている。
【００３０】
一方、背部中枠21の下端部は、脚台1 に変位可能に連結されている。即ち、背部中枠21の下端部にはヒンジブラケット38が溶接固定されており、脚台1 の後端部上面にはヒンジブラケット27が溶接固定されている。このヒンジブラケット38と上記ヒンジブラケット27がヒンジボルト39で回動可能に連結されることで、上述の如く、背部中枠21の下端部は、脚台1 に変位可能に連結されている。上記ヒンジブラケット38の下端部にはストッパ部38a が形成されており、その先端（前端）が、脚台1 に取り付けられている前後位置調整可能なストッパ40に当接されることで、背部4 の倒れが防止されている。
【００３１】
背部内枠22の上端部は、支持パイプ25によって回動（揺動）可能に支持されている。即ち、図４の（ｂ）に示すように、支持パイプ25にはクリップ29が回動自在に嵌めて取り付けられており、該クリップ29が背部内枠22の上端部にリベット28にて固定されることで、上述の如く、背部内枠22の上端部は、支持パイプ25によって回動（揺動）可能に支持されている。
【００３２】
一方、背部内枠22の下端部は、座枠17に変位可能に連結されている。即ち、図４の（ａ）に示すように、背部内枠22の下端部にはブラケット30が溶接固定されており、その先端にはピン31が設けられている。このピン31が、座枠17の後端部に溶接されて該後端部から後方へ延設されているブラケット32の長溝32a 内に係止されることで、上述の如く、背部内枠22の下端部は、座枠17に変位可能に連結されている。
【００３３】
背部4 は以上のように構成されているため、座枠17を前述のスライド機構によって前方へスライドさせると、ブラケット30を介して背部内枠22の下端部が前方へ引かれる。これにより、背部内枠22は支持パイプ25を回動の軸芯として前方へ揺動して、リクライニング動作が実現される。
【００３４】
一方、座枠17の後端側を上方へ引き上げると、クリップ37とピン36（図６）との係合が外れる。また、座枠17とともに、ピン31を長溝32a で係止していたブラケット32（図４（ａ））が上方へ変位する結果、ピン31と長溝32a との係合が外れる。これにより、背部内枠22は、スプリング72の引張力で背部中枠21側へ引き寄せられる。つまり、リクライニング状態が解除されて、背部4 の傾斜（正確には背部内枠22の傾斜）が原状態（基準状態）に自動復帰される。
【００３５】
このように、座部10の撥ね上げ動作に連動してリクライニングを自動復帰するように構成することで、背部4 を倒す際に背部内枠22の下端が脚台1 やスライドレール20と干渉してしまうことを防止している。なお、上記スプリング72の一端は背部中枠21の下端部に溶接固定されたブラケット52に係止されており、他端は背部内枠22の下端部に溶接固定されたブラケット30に係止されている。したがって、上述のように、背部内枠22の下端部が背部中枠21の下端部側へ引かれる。
【００３６】
（４）蹴込み板部（図１１〜図１６）．
図２に示す側部蹴込み板13は、図１６の（ｃ）のように、脚台1 の前後方向両端部（座席の前端部に対応）に各々ヒンジ12を介して開閉可能に取り付けられており、該側部蹴込み板13の先端部にはパイプ42が溶接固定されている。また、脚台1 の前後方向略中央位置（座席の後端寄りの位置に対応）には、クリップ43が固定されており、該クリップ43に上記パイプ42を嵌め入れることにより、上記側部蹴込み板13の先端部が脚台1 に係止される。
【００３７】
各側部蹴込み板13の内側には、各々内側蹴込み板41が脚台1 にネジ固定されており、該内側蹴込み板41と側部蹴込み板13との間に、中側蹴込み板44が折り畳み可能に設けられている。即ち、中側蹴込み板44の根元部が、脚台1 の前後方向略中央位置（座席の後端寄りの位置に対応）にヒンジ45を介して開閉可能に取り付けられている。ヒンジ45の位置は、側部蹴込み板13が閉じられた状態で該側部蹴込み板13に隠される位置にある。さらに、側部蹴込み板13の先端部内側（側部蹴込み板13を閉じた状態での内側）には、ヒンジ46を介して塞ぎ板47が折り畳み可能に設けられている。
【００３８】
蹴込み操作ノブ15を外方（通路側）へ引くことにより側部蹴込み板13を開いた後、固定板50を操作して、隣接するクロスシートから開かれた側部蹴込み板13と連結する。さらに、塞ぎ板47を開いて連結部の間隙を塞ぐ。また、中側蹴込み板44を開いて、その先端を、マグネット71に吸着させることにより、脚台1 の中央付近の間隙を塞ぐ。
【００３９】
背部固定金具16を外し、且つ、側部蹴込み板13を上述のように開くと、側部蹴込み板13の開閉側先端部のパイプ42により抑えられていた背部外枠2 の下端が図９の（ｂ）に示すように八の字状に開く。即ち、スプリング53の引張力によって背部外枠2 が背部中枠21の側に引き寄せられ、背部外枠2 の下端が八の字状に開く。これにより、背部4 を倒す際に、背中合わせの背部4 の下端部が干渉することが防止される。なお、スプリング53の一端は、背部中枠21下端に固定されたブラケット52に係止されており、他端は背部外枠下端に固定されたシャフト54に係止されている。また、パイプ42は、側部蹴込み板13が閉じられた状態に於いて背部外枠2 の下端部に斜め前方を向くように設けられている樹脂製摺動材42に当接することにより、背部外枠2 の下端部を背中合わせ方向に付勢して両背部4 を固定しているものである。
【００４０】
上述のようにして蹴込み板部を開いた後、背部4 を座部10側へ押すと、背部中枠21が下端部を回動の軸芯として座部側へ倒れる。前述のように、背部外枠2 と背部内枠22とは背部中枠21に関連付けられているため、背部21が倒れることにより、背部外枠2 と背部内枠22も同様に倒れる。
【００４１】
こうして倒された背部外枠2 の通路側の先端部（上端部）は、側部蹴込み板13の開閉側端部のパイプ42内に摺動可能に嵌め込まれている支柱67により、図１４に示す如く支持される。この支柱67の高さは、アジャストボルト67a とアジャストナット67b とによって調整可能であり、床面の状態に関わりなく、倒した背部4 の上面をフラットにできるようにされている。
【００４２】
（５）その他の構成（図２）．
背部外枠2 の上端部に設けられている取手6 は、背部4 を倒す際の操作用としても使用可能である。肘掛け7 は、ネジ9 を介して肘支え8 により回動可能に支持されており、背部4 を倒す際には、邪魔にならないように収納可能である。脚台1 の前方には、座枠カバーが設けられており、内部にゴミ等が進入することを防止している。カバー5 は、背部4 をリクライニングさせる際に現れる間隙を隠す作用を奏するものである。
【００４３】
〔２〕第２の構成例
図１９〜図２６を参照して、第２の構成例を説明する。第２の構成例は、第１の構成例とは異なり、座部10の前後スライド機構と、背部4 のリクライニング機構を備えていない。つまり、これらの機構を省くことで、簡易な機構の折り畳み式クロスシートを提供するものである。
【００４４】
第２の構成例は、通常は図１の（ａ）の如く御座敷として使用され、必要に応じて背部4 を図１の（ｃ）の如く起こして座席として使用される折り畳み式クロスシートである点に関しては、前述の第１の構成例と同様である。
以下、第１の構成例と異なる構成について説明し、第１の構成例と同じ構成については同じ符号を付して示すことで説明を省略もしくは簡略化する。
【００４５】
第２の構成例では、座部10の前後スライド機構を備えていない。このため、座枠17は、先端部を回動の軸芯として後端側を撥ね上げ得るように脚台1 上に設けられている。即ち、図２０及び図２２の（ｄ）に示すように、座枠17の先端側にはリベット19で取り付けられたブラケット33が下垂されており、該ブラケット33が、脚台1 に取り付けられているブラケット34により、ピン35を介して回動可能に支持されている。また、座枠17の後端側には、図２０及び図２２の（ｃ）に示すように、クリップ37が設けられており、該クリップ37が、脚台1 上に固定されたブラケット200 の上面に溶接により固定されたピン360 に係合されている。つまり、座枠17は、先端側を回動の軸芯として後端側を撥ね上げて揺動できるように、脚台1 上に取り付けられている。また、撥ね上げられた後、座部10は、図２１のように前方位置に支持されているが、これは、バー60を回動の軸芯として回動されるシャフト62の先端のストッパー63が、座枠17側のブラケット65の不図示の孔に係止されることで実現されている。
【００４６】
また、第２の構成例では、背部4 のリクライニング機構を備えていない。このため、座席としての使用時に於いて座者が安楽感を得られるように、背部中枠21の下端部と背部内枠22の下端部との間に、カムブラケット（請求項の間隙設定部材・板部材）740 を介在させて、背部内枠22（したがって背部クッション23）を十分に傾斜させている。
【００４７】
上記カムブラケット740 は、その下端部を、脚台1 から立設されたブラケットにより支持されたピン745 によって回動可能に支持されている。また、上記カムブラケット740 は、図２６に示すように、前側の縁に前側当接面740aを形成されるとともに、後側上部寄りの縁に逃げ面740bを形成され、且つ、該逃げ面740bに連続する後側当接面740cを後側下部寄りの縁に形成された板状部材である。
【００４８】
背部4 が起こされる（図２５から図２４を経て図２３の状態になる）際には、背部中枠21の下端部ブラケット730 の先端が、カムブラケット740 の逃げ面740b面を押しつつ該逃げ面740bに沿って摺動することにより、該カムブラケット740 を、ピン745 を回動の軸芯として前方（図２６での反時計回り）へ揺動させて起こす。これにより、背部中枠21の下端部ブラケット730 の先端が、カムブラケット740 の後側当接面740cに当接するようになり、且つ、カムブラケット740 の前側当接面740aが、背部内枠22の下端部ブラケット300 の後面に設けられたピン310 に当接するようになる。即ち、カムブラケット740 が、スプリング720 の引張力に抗して、背部内枠22の下端部ブラケット300 の後面のピン310 と、背部中枠21の下端部ブラケット730 との間に進入して、両者間に介在するようになる。なお、背部内枠22の下端部ブラケット300 の前面側は、座部10により押されて保持される。
【００４９】
一方、背部4 が倒される（図２３から図２４を経て図２５の状態に成る）際には、背部内枠22の下端部ブラケット300 の後面のピン310 が、カムブラケット740 の前側当接面740aを押して後方へ倒すように揺動させ、その際、背部中枠21の下端部ブラケット730 の先端部は、カムブラケット740 の逃げ面740bに沿って摺動して、該逃げ面740bの上端部から逃げる。即ち、カムブラケット740 は、背部中枠21の下端部ブラケット730 と、背部内枠22の下端部ブラケット300 の後面のピン310 との間から離脱する。このため、背部中枠21と背部内枠22とは、スプリング720 の引張力により、図２６の（ｂ）のように密接される。つまり、御座敷状態では、背部4 はコンパクトに密接されて収納される。
【００５０】
このようにして、カムブラケット740 の進入／離脱が行われる。なお、カムブラケット740 でなくとも、背部中枠21の倒される動作に連動して背部中枠21と背部内枠22の各下端部の間から離脱し、背部中枠21の起こされる動作に連動して背部中枠21と背部内枠22の各下端部の間に進入して両者間に介在することで所定の間隙を確保する部材を用いて同様の効果を奏させるようにしてもよい。
【００５１】
【発明の効果】
本発明によると、クロスシートと高床の御座敷とを切り換えて用いることができるため、客用車両の利用度を向上させることができる。また、クロスシートと御座敷の切り換えに特に好適な背部や座部の構成を提供できるとともに特に好適な脚台の側方を塞ぐ構成を提供できるため、使用時に快適であるとともに切り換え操作も容易である。また、クロスシートと高床の御座敷とを切り換えて用いることのできる簡易な機構を提供することができる。
【図面の簡単な説明】
【図１】実施の形態の第１の構成例の折り畳み式クロスシートの斜視図で、（ａ）は座敷として使用するために折り畳んだ状態、（ｂ）は座敷を形成するために折り畳む途中（又はクロスシートを形成するために起こす途中）の状態、（ｃ）はクロスシートとして使用している状態を示す。
【図２】図１の折り畳み式クロスシートを通路側から見た正面図（ａ）と、側部蹴込み板13の両開き部分に覆われている内部を示す詳細図（ｂ）。
【図３】図１の折り畳み式クロスシートの背部の機構説明図（ａ）と、（ａ）のＤ−Ｄ線断面図（ｂ）。
【図４】図１の折り畳み式クロスシートの背部と座部で構成されるリクライニング機構の説明図（ａ）と、（ａ）の背部上端部の詳細図（ｂ）と、（ａ）のＡ−Ａ線断面図（ｃ）と、（ａ）の背部下端部の詳細図（ｄ）。
【図５】図１の折り畳み式クロスシートの座部の前後方向スライドのロック／ロック解除機構を示し、（ａ）は上面図、（ｂ）は通路側から見た正面図、（ｃ）は座席前方から見た側面図、（ｄ）はバー60とハンドル64の連結部分の側面図、（ｅ）は（ｄ）の矢視Ｋ図。
【図６】図１の折り畳み式クロスシートの座部の後端を脚台に係止する機構の概要を示す説明図（ａ）と、（ａ）の要部詳細図（ｂ）。
【図７】図１の折り畳み式クロスシートの座部が基準位置に在る状態と前方スライド位置に在る状態を示す説明図（ａ）と、（ａ）の前方スライド位置の状態から座部を開き始める様子を示す説明図（ｂ）。
【図８】図７の（ａ）から更に座部を開く様子を示す説明図（ａ）と、（ａ）から更に座部を開いた様子を示す説明図（ｂ）。
【図９】図１の折り畳み式クロスシートの背中合わせの背部の上端に背部固定金具16を嵌めた様子を示す説明図（ａ）と、（ａ）背部固定金具16を外すことにより両背部が八の字状に開いた様子を示す説明図（ｂ）。
【図１０】図１の折り畳み式クロスシートの背部中枠21の下端と背部外枠2 の下端がスプリング53で引張されている様子を示す説明図（ａ）と、背部内枠22の下端と背部中枠21の下端がスプリング72で引張されている様子を示す説明図（ｂ）。
【図１１】図１の折り畳み式クロスシートの蹴込み板部を開いた状態を通路側から見た正面図（ａ）と、隣接するクロスシートの側部蹴込み板13の先端部を連結する手順の説明図（ｂ）。
【図１２】図１１の（ａ）の後、片方の背部4 を倒す途中の状態を示す説明図。
【図１３】図１２の後、片方の背部4 を倒し終えた状態を示す説明図。
【図１４】図１３の後、両方の背部4 を倒し終えた状態を示す説明図。
【図１５】蹴込み板部を開く様子を示す斜視図（ａ）と、側部蹴込み板13の開閉側端部のパイプ42の部分で支柱を構成する様子を示す説明図（ｂ）。
【図１６】（ｃ）は図２のＦ−Ｆ線断面図であり、（ａ）は（ｃ）の状態から側部蹴込み板13を開いて隣接するクロスシートの側部蹴込み板13と連結した状態を示す説明図、（ｂ）は（ａ）の状態から内側蹴込み板44を開いて脚台1 の前後方向中央部を塞いだ状態を示す説明図、（ｄ）は（ｃ）のパイプ42の部分の詳細図。
【図１７】図１の折り畳み式クロスシートの背部を倒した状態を示す上面図（ａ）と、隣接するクロスシートとの連結部から見た側面図（ｂ）。
【図１８】図１の折り畳み式クロスシートの背部のリクライニング機構の説明図。
【図１９】実施の形態の第２の構成例の折り畳み式クロスシートの背部の機構説明図。
【図２０】図１９のクロスシートを通路側から見た正面図。
【図２１】図２０のクロスシートの座部10を開いた状態の正面図。
【図２２】図１９のＤ−Ｄ線断面図（ａ）、図２０の背部4 の上端部の拡大図（ｂ）、図２０の座部10の後端部の拡大図（ｃ）、図２０のＡ−Ａ線断面図（ｄ）、図２０の背部4 の下端部の拡大図（ｅ）。
【図２３】図１９のクロスシートを折り畳んだ状態を通路側から見た正面図（ａ）と、その要部拡大図（ｂ）。
【図２４】図２３の後のクロスシートを起こす途中の状態を示す正面図（ａ）と、その要部拡大図（ｂ）。
【図２５】図２４の後のクロスシートを起こし終えた状態を示す正面図（ａ）と、その要部拡大図（ｂ）。
【図２６】図１９のクロスシートの背部4 の中枠21の下端ブラケット730 と内枠22の下端ブラケット300 のピン310 との間に進入／離脱されるカムブラケット740 の動きを示し、（ａ）は背部4 を起こした状態、（ｂ）は倒した状態を示す。
【符号の説明】
１  脚台
２  背部外枠
３  畳枠
４  背部
１０  座部
１３  側部蹴込み板
１４  座部スライドレバー
１５  蹴込み操作ノブ
１６  背部固定金具
１７  座枠
１８  座部クッション材
２１  背部中枠
２２  背部内枠
２３  背部クッション
２５  支持パイプ
４１  内側蹴込み板
４２  パイプ
４４  中側蹴込み板
４８  樹脂製摺動材
４９  畳
５３  スプリング
５５  ロックレバー
５８  レバー
５９  カム
６０  ロックバー
６２  シャフト
６４  ロックハンドル
６６  ロックプレート
６６ａ  ロック孔
６７  支柱
７２  スプリング
７４０  カムブラケット（間隙設定部材・板部材）
７４０ａ  前側当接面
７４０ｂ  逃げ面
７４０ｃ  後側当接面
７３０  背部中枠の下端部ブラケット
３００  背部内枠の下端部ブラケット
３１０  ピン
【図１】
0003767989.tif 000002
【図２】
0003767989.tif 000003
【図３】
0003767989.tif 000004
【図４】
0003767989.tif 000005
【図５】
0003767989.tif 000006
【図６】
0003767989.tif 000007
【図７】
0003767989.tif 000008
【図８】
0003767989.tif 000009
【図９】
0003767989.tif 000010
【図１０】
0003767989.tif 000011
【図１１】
0003767989.tif 000012
【図１２】
0003767989.tif 000013
【図１３】
0003767989.tif 000014
【図１４】
0003767989.tif 000015
【図１５】
0003767989.tif 000016
【図１６】
0003767989.tif 000017
【図１７】
0003767989.tif 000018
【図１８】
0003767989.tif 000019
【図１９】
0003767989.tif 000020
【図２０】
0003767989.tif 000021
【図２１】
0003767989.tif 000022
【図２２】
0003767989.tif 000023
【図２３】
0003767989.tif 000024
【図２４】
0003767989.tif 000025
【図２５】
0003767989.tif 000026
【図２６】
0003767989.tif 000027